(57)【要約】【課題】小さな設置面積のセンサを用いた場合にも、十分な感知範囲を確保でき、コストを抑制しつつ、被験者の生体情報を確実に検出することが可能な生体情報検出装置を提供する【解決手段】睡眠計１のセンサ部２は、センサ２Ａと、当該センサ２Ａに交差して複数配置された補助部材２Ｂとを備え、センサ２Ａを、被験者の体の幅方向と略平行にした状態で、マットレスＭ上で臥位（横臥位、仰臥位および腹臥位を含む）にある被験者の被験部位の下側になるように配置される。センサ部２のセンサ２Ａは、補助部材２Ｂを介して感知した振動およびセンサ２Ａが感知した振動を電圧の変化として第１外部接続端子５０１および第２外部接続端子５０２から出力する。電圧測定部１１は、第１外部接続端子５０１および第２外部接続端子５０２間の電圧を測定する。検出部７は、電圧測定部１１が測定した電圧に基づいて、被験者の生体情報を検出する。【選択図】図１
2010051588.tif 000002
【特許請求の範囲】
【請求項１】
臥位における被験者の生体情報を検出することが可能な生体情報検出装置であって、
一方の端部に第１外部接続端子および第２外部接続端子を有し、前記被験者の被験部位の下側に配置された短冊状のセンサであって、前記被験者の生体の状態に応じて生じる、前記被験部位の振動を、電圧の変化として出力することが可能なセンサと、
前記センサと交差するように配置された補助部材と、
前記第１外部接続端子および第２外部接続端子に接続され、前記第１外部接続端子および第２外部接続端子間の電圧を測定する電圧測定手段と、
前記電圧測定手段が測定した電圧の測定値に基づいて、前記生体の状態に関する情報を、前記生体情報として検出する生体情報検出手段と、
を有する生体情報検出装置。
【請求項２】
前記センサは、多孔性ポリプロピレンのシートで形成されたセンサ層と、当該センサ層の一方の面と面接触する第１電極層と、前記センサ層の他方の面と面接触する第２電極層とを有し、
前記センサの前記一方の端部は、
前記第１電極層と前記センサ層とが引き出された第１リード部と、
前記第２電極層が引き出された第２リード部と、
前記第１リード部および前記第２リード部を覆う絶縁性部材と、
をさらに有し、
前記第１外部接続端子は、前記第１リード部に形成された孔部と当該孔部をカシメ加工したカシメ加工部とを有し、
前記第２外部接続端子は、前記第２リード部に形成された孔部と当該孔部をカシメ加工したカシメ加工部とを有する、
請求項１に記載の生体情報検出装置。
【請求項３】
前記短冊状のセンサを複数備え、
前記複数のセンサの複数の第１外部接続端子は互いに並列接続され、複数の第２外部接続端子は互いに並列接続される、
請求項１または２に記載の生体情報検出装置。
【請求項４】
前記補助部材は、１または複数の短冊状の部材である、
請求項１乃至３のいずれか一項に記載の生体情報検出装置。
【請求項５】
互いに平行な前記短冊状のセンサを複数備え、
前記補助部材は、前記１または複数の短冊状の部材の各々が、前記複数のセンサのうち、少なくとも２つのセンサを通るように配置される、
請求項４に記載の生体情報検出装置。
【請求項６】
前記１または複数の短冊状の補助部材の各々は第１シートおよび第２シートを有し、前記第１シートおよび前記第２シートは、前記交差した部分において、前記センサを上下に挟むように前記センサと固着される、
請求項４または５に記載の生体情報検出装置。
【請求項７】
前記第１シートは前記センサの上面側に配置され、前記第２シートは前記センサの下面側に配置され、
前記第１シートは、前記センサおよび前記第２シートとは逆方向に突き出した湾曲部分を有する、
請求項６に記載の生体情報検出装置。
【請求項８】
前記第１シートには、複数個の前記湾曲部分があり、
前記複数個の湾曲部分の間の各谷部分は、前記センサまたは前記第２シートに固着される、
請求項７に記載の生体情報検出装置。
【請求項９】
前記１または複数の短冊状の補助部材の各々は、前記複数個の湾曲部分のうち、隣り合う少なくとも２つの湾曲部分の各頂部を通る第３シートを有し、
前記第３シートは前記各頂部に固着される、
請求項８に記載の生体情報検出装置。
【請求項１０】
前記補助部材は、上面部と下面部を有し、当該下面部に突起部を配した板状の部材であり、前記突起部が前記センサと重なるように配置される、
請求項１乃至３のいずれか一項に記載の生体情報検出装置。
【請求項１１】
前記補助部材は、山部と谷部を備えた波形板であり、
前記補助部材と前記センサは、前記補助部材の前記谷部と前記センサとが重なるように配置される、
請求項１乃至３のいずれか一項に記載の生体情報検出装置。
【発明の詳細な説明】
【技術分野】
【０００１】
本発明は、臥位における被験者の生体情報を検出することが可能な生体情報検出装置に関する。
【背景技術】
【０００２】
介護施設や病院などにおいて、夜間における老人の離床検知や、就寝中における被験者の生体情報を検出するためのベッド用センサが用いられている。例えば、特許文献１には、その図３に、寝具の下側にシート状の生体振動センサを設置して、寝具からの離床を検知する装置が開示されている。また、特許文献２には、その図１に示されるように、ベッド上の、被験者の胸部を覆う面積にシート状のセンサを設置して生体の呼吸数や心拍数を計測する装置が開示されている。
【特許文献１】特開２００８−９３３９５号公報
【特許文献２】米国特許出願公開２００７／０２７６２０２号明細書
【発明の開示】
【発明が解決しようとする課題】
【０００３】
ところで、従来型のベッド用センサは高価なため、より安価なセンサに対する要求がある。すなわち、従来型のセンサは、特に価格面において、一般家庭で購入して使用するには不向きであった。しかしながら、コストを削減するために、設置面積がより小さなセンサを用いると、センサの感知範囲が限られてしまい、十分な測定結果が得られないという問題があった。
【０００４】
そこで、本発明は、より小さな設置面積のセンサを用いた場合にも、十分な感知範囲を確保でき、コストを抑制しつつ、被験者の生体情報を確実に検出することが可能な生体情報検出装置を提供することを解決課題とする。
【課題を解決するための手段】
【０００５】
上記課題を解決するために、本発明は、臥位における被験者の生体情報を検出することが可能な生体情報検出装置であって、一方の端部に第１外部接続端子および第２外部接続端子を有し、前記被験者の被験部位の下側に配置された短冊状のセンサであって、前記被験者の生体の状態に応じて生じる、前記被験部位の振動を、電圧の変化として出力することが可能なセンサと、前記センサと交差するように配置された補助部材と、前記第１外部接続端子および第２外部接続端子に接続され、前記第１外部接続端子および第２外部接続端子間の電圧を測定する電圧測定手段と、前記電圧測定手段が測定した電圧の測定値に基づいて、前記生体の状態に関する情報を、前記生体情報として検出する生体情報検出手段と、を有する生体情報検出装置を提供する。
【０００６】
ここで、「交差する」とは、被験者の振動が、補助部材から短冊状のセンサに伝わるように交差している（補助部材と短冊状のセンサとの少なくとも一部が上下で重なる）ことを示す。よって、補助部材と短冊状のセンサが直接接触していなくても、例えば、薄い部材が両者の間に介挿されていてもよい。また、被験部位の振動を生じさせる生体の状態とは、例えば、被験者の呼吸や脈拍、体動などを含む。
本発明の生体情報検出装置によれは、短冊状のセンサと、このセンサと交差する補助部材とを有するので、従来と比較して、設置面積が縮小されたセンサを用いた場合にも、補助部材を介して被験者の生体情報を感知することが可能となり、コストを削減しつつ、確実に、被験者の生体情報を検出することが可能となる。
【０００７】
本発明の好ましい態様において、前記センサは、多孔性ポリプロピレンのシートで形成されたセンサ層と、当該センサ層の一方の面と面接触する第１電極層と、前記センサ層の他方の面と面接触する第２電極層とを有し、前記センサの前記一方の端部は、前記第１電極層と前記センサ層とが引き出された第１リード部と、前記第２電極層が引き出された第２リード部と、前記第１リード部および前記第２リード部を覆う絶縁性部材とをさらに有し、前記第１外部接続端子は、前記第１リード部に形成された孔部と当該孔部をカシメ加工したカシメ加工部とを有し、前記第２外部接続端子は、前記第２リード部に形成された孔部と当該孔部をカシメ加工したカシメ加工部とを有する。
【０００８】
前記センサのセンサ層が多孔性ポリプロピレンのシートで構成されている場合がある。多孔性ポリプロピレンのシートは、その内部に無数の空洞が形成されて、この空洞に電荷が蓄えられており、シートに圧力がかかると、その圧力に比例した電荷が移動して電圧を出力する高感度のセンサである。しかしながら、このシートは端部の加工に対して強固でない。本発明の生体情報検出装置によれば、各第１外部接続端子および第２外部接続端子は、第１リード部と第２リード部を絶縁性部材で保護した後に孔部を形成し当該孔部をカシメ加工したカシメ加工部を有していることにより、各第１外部接続端子および第２外部接続端子の強度が確保される。その結果、接続の信頼性が向上する。
【０００９】
上記第１電極層としては、実施形態に例示したシグナル電極層があり、上記第２電極層としては、同じく実施形態に例示したアース電極層がある。このアース電極層は、基準電位を定めるためのものであり、基準電位層と呼ばれるものであってもよい。また、センサは、第１電極層、第２電極層およびセンサ層に加え、電磁妨害や静電気放電を防ぐためのシールド電極層（またはアース電極層）およびポリエステルフィルム等を含んでいてもよい。絶縁性部材の例としては、セロテープ（登録商標）、ポリエステルテープ、テフロン（登録商標）テープおよびポリイミドテープなどを含むが、絶縁性部材の強度や、被接着部材とテープとの接着力の相性等を考慮して適宜選択される。
【００１０】
好ましくは、本発明の生体情報検出装置は、前記短冊状のセンサを複数備え、前記複数のセンサの複数の第１外部接続端子は互いに並列接続され、複数の第２外部接続端子は互いに並列接続されるようにしてもよい。この態様によれば、複数のセンサのいずれかが断線した場合にも、残りのセンサから出力される電圧に基づいて生体情報を検出することが可能である。
【００１１】
本発明の好ましい態様において、前記補助部材は、１または複数の短冊状の部材であることが好ましい。本態様によれば、１または複数の短冊状の補助部材をセンサに交差させて配置するので、コストを抑制しつつ、センサが感知する範囲を拡大することが可能となる。なお、「交差する」とは、直角に交差する場合と、非直角に交差する場合とを含む。
さらに、好ましくは、生体情報検出装置が、互いに平行な前記短冊状のセンサを複数備えており、前記補助部材は、前記１または複数の短冊状の部材の各々が、前記複数のセンサのうち、少なくとも２つのセンサを通るように配置されるようにするとよい。複数の短冊状のセンサを平行に配置して用いた場合には、測定範囲が不連続となってしまうが、本態様によれば、補助部材が、複数のセンサのうち少なくとも２つのセンサを通るので、補助部材により測定範囲を連続とすることが可能となる。
【００１２】
さらに、好ましくは、前記１または複数の短冊状の補助部材の各々は第１シートおよび第２シートを有し、前記第１シートおよび前記第２シートは、前記交差した部分において、前記センサを上下に挟むように前記センサに固着されるようにするとよい。補助部材を、例えば、ＰＥＴ（Polyethylene terephthalate）シートのような折り曲げ可能な素材で形成する場合には、木材や金属などの剛性が高い補助部材と比較して、感知した振動がセンサに伝わりづらい。本態様によれば、センサを上下で挟むように補助部材を配置した構成としたので、１枚のシートで補助部材を構成する場合と比較して、補助部材の振動がセンサに伝わり易い。
【００１３】
さらに、好ましくは、前記第１シートは前記センサの上面側に配置され、前記第２シートは前記センサの下面側に配置され、前記第１シートは、前記センサおよび前記第２シートとは逆方向に突き出した湾曲部分を有するようにしてもよい。本態様によれば、さらに、センサを上下で挟んだ２枚のシートにうち、センサの上面側に配置された第１シートがセンサと逆方向に突き出した湾曲部分を有する構成としたので、センサの上面方向から、補助部材に対して与えられる振動が、より効果的にセンサに伝わることが可能となる。さらに、好ましくは、前記第１シートには、複数個の前記湾曲部分があり、当該複数個の湾曲部分間の各谷部分は、前記センサまたは前記第２シートに固着されるようにしてもよい。この場合、湾曲部分を複数とすることにより、補助部材に対して与えられた振動の伝達がさらに効率的となる。
【００１４】
さらに、前記１または複数の短冊状の補助部材の各々は、前記複数個の湾曲部分のうち、隣り合う少なくとも２つの湾曲部分の各頂部を通る第３シートを有し、前記第３シートが前記各頂部に固着されるようにしてもよい。この場合には、第３シートに対して与えられた振動が、第３シートに接する第２シートの湾曲部分の各頂部を介して第２シートに伝達され、さらには第１シートに伝達されてセンサに到達するので、第１シートと、複数の湾曲部分を有する第２シートのみで補助部材を構成する場合と比較して、さらに、効率的に振動を伝達することが可能となる。
【００１５】
本発明の別の好適な態様において、前記補助部材は、上面部と下面部を有し、当該下面部に突起部を配した板状の部材であり、前記突起部が前記センサと重なるように配置される。本態様においては、広い面積を有する板状の部材を補助部材として用いるとともに、補助部材の下面部に突起部を配し、その突起部がセンサと重なるように配置する構成としたので、コストを抑制しつつ、感知範囲を大面積とすることができるとともに、補助部材に対して与えられた振動が、突起部を介してより効果的にセンサに伝達される。板状の部材の例としては、金属板、木材板などを含む。突起部は、センサと交差する方向に、補助部材の端から端まで形成された尾根状であっても良いし、部分的に形成されていてもよい。また、センサと重なる部分のみが突き出た形状であってもよい。また、突起部は、補助部材と同じ部材で形成されてもよいし、異なる部材で形成されて補助部材に固着されてもよい。
【００１６】
本発明のさらに別の好適な態様において、前記補助部材は、山部と谷部を備えた波形板であり、前記補助部材と前記センサは、前記補助部材の前記谷部と前記センサと重なるように配置される。本態様においては、補助部材として波形の板を用いて、波形の谷部がセンサと重なるように配置される。よって、コストを抑制しつつ、感知範囲を大面積とすることができるとともに、補助部材に対して与えられた振動が、波形板の谷部を介してより効果的にセンサに伝達される。
【発明を実施するための最良の形態】
【００１７】
＜実施形態＞
以下、添付の図面を参照して、本発明の実施形態について説明する。
図１は、本実施形態に係る睡眠計の設置時の外観斜視図であり、図２は、同睡眠計の電気的構成を示すブロック図である。
図１および図２に示されるように、睡眠計１は、ベッドＢに横たわった被験者の生体情報の変化に応じた電圧の変化を出力するためのセンサ部２と、センサ部２に接続され、センサ部２の出力結果に基づいて、被験者の生体情報を検出し、睡眠段階の判定を行う制御ボックス３とを有する。
【００１８】
制御ボックス３は、その上面部に、睡眠段階の判定結果の表示やガイダンス表示などを行う表示部４と、電源のオン／オフまたは測定開始／終了などの操作を行なう操作部５とを備える。さらに、制御ボックス３は、センサ部２からリード線６００を介して出力された電圧を測定する電圧測定部（電圧測定手段）１１と、測定した電圧に基づいて被験者の生体情報（呼吸信号、脈拍信号および体動信号）を検出する検出部（生体情報検出手段）７と、検出部７による検出結果に基づいて睡眠段階判定のための各種判定を行なう判定部８、検出部７による検出結果を記憶するとともに、睡眠段階判定ための各種条件式や判定結果を記憶しておく記憶部９と、睡眠計１に電力を供給する電源１０と、これら各部を制御するＣＰＵ６とを有する。ＣＰＵ６は、当該睡眠計１を制御する制御部と時間を計測する計時部とを内部に備える。判定部８は、例えば、覚醒段階、深睡眠段階、浅睡眠段階およびREM睡眠段階の４段階の睡眠段階を判定する。
【００１９】
センサ部２は、センサ２Ａと、当該センサ２Ａに交差して複数配置された補助部材２Ｂとを備え、センサ２Ａを、被験者の体の幅方向と略平行にした状態で、マットレスＭ上で臥位（横臥位、仰臥位および腹臥位を含む）にある被験者の被験部位の下側になるように配置される。本実施形態では、センサ２Ａとして、フィンランドの国立技術開発センターによって開発された超高感度感圧センサを利用したＥＭＦＩ（Electromechanical Film）センサ（フィンランドEMFiT社製)を用いる。図示の例では、センサ部２はマットレスＭの上側に配置されているが、マットレスＭが所定の厚みを超えない範囲であれば（すなわち、マットレスＭの厚みがセンサの検出精度を損なわない範囲内であれば）、センサ部２をマットレスＭの下側に配置することができる。センサ２Ａは、幅が約２５ｍｍのリボン状のＥＭＦＩセンサをベッドの幅方向の長さ（この場合、９００ｍｍ）に切断した短冊状のセンサである。
【００２０】
図３にセンサ２Ａの断面図を示す。図３に示されるように、センサ２Ａは、多孔性ポリプロピレンのシートを使用したセンサ層２１の両側を導電性フィルム２２および２３で挟むことにより形成されている。各導電性フィルム２２および２３は、ポリエステルフィルムの片面に導電性ペーストを塗布し、塗布面がセンサ層２１と面接触するように張り合わされたものである。ポリエステルフィルムとしては、例えば、厚さ７５ミクロンのＰＥＴ（Polyethylene terephthalate）を用いることができる。また、導電性ペーストとしては、厚さ９ミクロンのアルミ箔を用いることができる。また、センサ層２１に使用される多孔性ポリプロピレンのシートとしては、例えば、厚さ６５ミクロンのものがある。
【００２１】
多孔性ポリプロピレンのシートは、その内部に、電荷を捕獲した無数の空洞（気泡）を形成している。このシートに圧力が加わると、その力に比例した電荷の移動が生じ、シートを挟む導電性フィルム間に電位差が発生する。よって、導電性フィルム２２および２３に塗布された導電性ペーストは、各々電極層として機能する。本実施形態では、導電性フィルム２２に塗布された導電性ペーストは、基準電位を定めるアース電極層２２Ａ（第２電極層）として機能し、導電性フィルム２３に塗布された導電性ペーストは、圧力により変化した電位を示すシグナル電極層２３Ａ（第１電極層）として機能する。
さらに、図３に示されるように、センサ２Ａには、導電性フィルム２３の図中上側に、別の導電性フィルム２４が張り合わされ、その導電性ペーストの塗布面が導電性フィルム２３と面接触する。導電性フィルム２４の導電性ペーストは、電磁妨害や静電気放電を防ぐためのシールド電極２４Ａとして機能する。
以上の構成において、センサ２Ａは、被験者の状態、すなわち、被験者の呼吸、脈拍や体動によって生じる振動を圧力の変化として感知し、電圧として出力することが可能である。
【００２２】
上述したように、センサ２Ａは、幅２５ｍｍ×長さ９００ｍｍの短冊状の部材の長手方向を、被験者の体の横幅方向と略平行に配置して使用するが、このような幅の細いセンサ２Ａでは、センサ２Ａの感知範囲が限られてしまう。そこで、本実施形態では、複数の短冊状の補助部材２Ｂを、センサ２Ａに交差させて配置することにより、被験者に生じる振動を、補助部材を介して広範囲で受け取り、センサ２Ａに伝達可能な構成としている。すなわち、補助部材２Ｂの使用により感知範囲を確保し、被験者の生体情報を確実に検出することを可能としつつ、小さな設置面積のセンサを用いることによりコストの削減を実現している。
【００２３】
各補助部材２Ｂは、例えば、ＰＥＴシートで形成された短冊状の部材であり、センサ２Ａに交差するとともに、その交差部分で接着剤によりセンサ２Ａに接合されている。各補助部材２Ｂは、被験者の生体情報の変化に応じた振動に応じて振動し、その振動はセンサ２Ａによって圧力の変化として感知される。接合方法としては、接着剤のほかに、両面粘着テープや溶着（例えば、超音波溶着）などがある。超音波接着は、被接合部材を、微細な超音波振動と加圧力により瞬時に融解して接合するので、きれいな仕上がりが実現される。
【００２４】
なお、図示の例では、複数の補助部材２Ｂがほぼ平行に等間隔で配置され、センサ２Ａと直交している態様を示したが、この態様に限られない。すなわち、複数の補助部材が互いに交差する態様であってもよい。また、複数の補助部材２Ｂの粗密は、図示の態様に限定されない。例えば、被験者が仰向けに寝た場合に、ベッドＢの長手方向における中心線に近いほど補助部材２Ｂを密に配置し、ベッドＢの両脇に向かって次第に疎となるように配置する構成としてもよい。
【００２５】
図４は、図１に領域Ｅで示すセンサ２Ａの端部の拡大斜視図である。図３および図４から理解されるように、センサ２Ａを形成する複数の層のうち、導電性フィルム２２を第１層２０１、センサ層２１および導電性フィルム２３を第２層２０２、導電性フィルム２４を第３層２０３としたとき、センサ２Ａの一方の端部は、第２層２０２が引き出された第１リード部３０１と、第１層２０１および第３層２０３とが引き出された第２リード部３０２とを有する。第１リード部３０１には第１外部接続端子５０１がプラス端子として形成され、第２リード部３０２には第２外部接続端子５０２がマイナス端子として形成され、各端子からリード線６００（６０１，６０２）が延びて、制御ボックス３の電圧測定部１１に接続される。
【００２６】
センサ２Ａの端部においては、各リード線６０１，６０２を各第１外部接続端子５０１および第２外部接続端子５０２に半田加工して接続するため、センサ２Ａを形成する各層が半田の熱に耐えられるようにカシメ加工する必要がある。ところが、第２層２０２に含まれる上述のセンサ層２１は、多孔性ポリプロピレンのシートで形成されているため、カシメ加工に対して強固でなく、カシメ加工した部分が剥離してしまう。そこで、本実施形態では、まず、図５の（Ａ）に示すように第１リード部３０１および第２リード部３０２を形成した後に、図５の（Ｂ）に示すように、第１リード部３０１および第２リード部３０２を含む端部全体を絶縁性部材４００で覆う。絶縁性部材４００としては、例えば、セロテープ、ポリエステルテープ、テフロンテープおよびポリイミドテープなどを含むが、絶縁性部材４００の強度や、被接着部材とテープとの接着力の相性等を考慮して適宜選択される。
【００２７】
図５の（Ｃ）に示されるように、第１リード部３０１には絶縁性部材４００の上から穿孔した孔部５０１ａが形成され、第２リード部３０２には絶縁性部材４００の上から穿孔した孔部５０２ａが形成され、さらに、各孔部５０１ａ，５０２ａに各ハトメラグ５０１ｃ，５０２ｃを嵌挿してカシメ加工したカシメ加工部５０１ｂ，５０２ｂが設けられる。すなわち、第１リード部３０１には、第１外部接続端子５０１として、孔部５０１ａおよびカシメ加工部５０１ｂが形成され、第２リード部３０２には、第２外部接続端子５０２として、孔部５０２ａおよびカシメ加工部５０２ｂが形成される。各孔部５０１ａ，５０２ａの直径は２〜３ｍｍであることが望ましい。
このように、第１リード部３０１および第２リード部３０２を絶縁性部材４００で覆った後に、孔部５０１ａ，５０２ａを形成し、カシメ加工を施す構成としたので、カシメ加工よるセンサ層２１の破損を防止することが可能となる。
【００２８】
以上説明したように、本実施形態のセンサ部２を備えた睡眠計１によれば、短冊状のセンサ２Ａと、センサ２Ａと交差するように配置された複数の補助部材２Ｂとを有するので、従来のようにシート状のセンサを用いる場合と比較してコストを削減しつつ、被験者の生体情報を検出することが可能である。よって、一般家庭においても睡眠計を利用できる可能性が拡大し、ユーザの利便性が向上する。
【００２９】
さらに、センサ２Ａの端部においては、第１リード部３０１および第２リード部３０２を形成し、これらを絶縁性部材４００で覆い、第１外部接続端子５０１および第２外部接続端子５０２は、各第１リード部３０１および第２リード部３０２に形成した各孔部５０１ａおよび５０２ａと、各孔部をカシメ加工した各カシメ加工部５０１ｂおよび５０２ｂを有するので、カシメ加工に対して強固でないセンサ層２１を破損することなく、各外部接続端子を形成することが可能となる。また、この本実施形態による端部の加工を施すことにより、使用中に、端部が破損して断線する可能性が縮小する。
【００３０】
＜変形例＞
変形例１：
上記実施形態では、第１外部接続端子５０１および第２外部接続端子５０２が電圧測定部１１に直接接続される態様について説明したが、第１外部接続端子５０１および第２外部接続端子５０２の直後に増幅器を配置して、センサ部２の出力を増幅した後に引き回すようにしてもよい。この場合には、センサ部２の出力信号が微小振幅であっても、良好なＳＮ比を得ることができる。
【００３１】
上記実施形態では、検出部７が検出した生体情報に基づいて睡眠段階の判定を行う判定部８を有する睡眠計について説明したが、判定部８が行う判定を離床判定に限定した離床報知計としてもよい。その場合には、音声出力部を設け、被験者が離床したときにアラームを鳴動させて、被験者が離床したことを周囲に報知してもよい。また、制御ボックス３に出力インターフェイスを設けることにより、検出した生体情報のデータをパーソナルコンピュータや携帯電話、ＰＤＡ（Personal Digital Assistant）等の外部機器に対して出力し、判定部８による判定を外部機器に実行させる態様としてもよい。出力インターフェイスの例としては、制御ボックス３と外部機器とを有線で接続するための接続端子や、赤外線通信によりデータを出力する赤外線通信ポートなどの無線通信手段等を含む。
【００３２】
変形例２：
上記実施形態では、図１に示されるように、センサ部２は、１本の短冊状のセンサ２Ａと複数の短冊状の補助部材２Ｂとから構成されていたが、この態様に限られない。例えば、補助部材２Ｂは複数でもなくともよい。すなわち、補助部材２Ｂは単数でも複数でもよい。また、補助部材の形状は、短冊状に限られず、楕円または四角形のシート状でもよいし、それ以外の形状でもよい。
また、測定部位を広範囲とするために、コストが過大とならない範囲内において、短冊状のセンサ２Ａを複数配置する構成としてもよい。図６および図７に、短冊状のセンサ２Ａを複数配置したセンサ部２について例示する。
図６は、２本のセンサ２Ａを並列接続して平行に配置し、複数の短冊状の補助部材２Ｂを配置した例を示す。この例においては、各補助部材２Ｂが、２本のセンサ２Ａの両方を通るように配置されている。図７は、３本のセンサ２Ａを並列接続して平行に配置し、複数の短冊状の補助部材２Ｂを配置した例を示す。この例においては、各補助部材２Ｂが、３本のセンサ２Ａの全てを通るように配置されている。複数の短冊状のセンサ２Ａを用いた場合には、測定範囲が不連続となってしまうが、補助部材２Ｂが複数のセンサ２Ａの全てを通るように配置することにより、測定範囲を連続とすることが可能となる。なお、図６においては、各補助部材２Ｂの短辺側の両端が、各センサ２Ａの長辺側の外側の各端に一致しているが、図７に示すように、センサ２Ａの長辺側の外側の端からはみ出すように配置してもよい。また、図７においては、補助部材２Ｂは、３本のセンサ２Ａの全てを通るように配置されているが、少なくとも２本のセンサ２Ａを通る構成としてもよい。
【００３３】
また、図６および図７に示すように、複数のセンサ２Ａを配置する場合には、各センサ２Ａから電圧測定部１１まで至る配線は、並列接続とする。具体的には、複数のセンサ２Ａの複数の第１外部接続端子５０１を互いに並列接続とし、複数の第２外部接続端子５０２を互いに並列接続とする。このように接続することにより、複数のセンサ２Ａのいずれかが断線した場合にも、残りのセンサから出力される電圧に基づいて生体情報を検出することが可能となる。
【００３４】
変形例３：
上記実施形態および変形例では、各補助部材２Ｂが１枚のシートである場合について説明したが、複数枚のシートを重ねて用いてもよい。図８〜１０に本変形例に係るセンサ部２における、センサ２Ａと補助部材２Ｂの配置例を示す。なお、これらの図においては、補助部材２Ｂの長手を図中横方向として図示したが、ベッドＢに設置した場合には、補助部材２ＢがベッドＢの長手方向に延び、２本のセンサ２ＡとがベッドＢの横幅方向になるように設置される。
図８は、第１シート２b1および第２シート２b2を有する補助部材２Ｂでセンサ２Ａを上下に挟むように配置した例を示す。詳細には、第１シート２b1はセンサ２Ａの上側に配置されて両者の交差部分は接着剤により接合され、第２シート２b2はセンサ２Ａの下側に配置されて両者の交差部分は接着剤により接合されている。この構成において、センサ２Ａの上面側（第１シート２b1が配置された側）から補助部材２Ｂに対して所定の大きさの圧力Ｐが加えられたときに、センサ２Ａと各シートの接合部分が、各シートの撓みの中心方向に向けて引かれる張力はシート２枚分なので、１枚のシートから成る補助部材に同じ圧力Ｐを加えた場合と比較して増加する。よって、本態様によれば、補助部材２Ｂにかかる圧力（被験者の振動から生じる圧力）を、より効率的に、センサ２Ａに伝達することが可能となる。
【００３５】
図９に、図８に示した第１シート２b1に湾曲部分を形成した変形例について示す。具体的には、図８と同様の構成において、第２シート２b2よりも長尺の部材を第１シート２b1として使用し、第１シート２b1が、センサ２Ａおよび第２シート２b2とは逆方向に突き出した湾曲部分ｗを有するように構成する。また、各第１シート２b1および第２シート２b2は、センサ２Ａとの交差部分において接着剤により接合されている。この構成においては、補助部材２Ｂに対してセンサ２Ａの上面部方向から上記圧力Ｐが加えられて、第１シート２b1の湾曲部分ｗが押し込まれたときに、第２シート２b2がセンサ２Ａを引っ張る張力は、図８のように、単に第１シート２b1および第２シート２b2を２枚重ねた補助部材に同じ圧力Ｐを加えた場合と比較して、大きくなる。よって、第１シート２b1および第２シート２b2を単に２枚重ねた場合よりも、さらに、効率的に、圧力（被験者の振動から生じる圧力）を伝達することが可能となる。なお、図示の例では、湾曲部分ｗを１つだけ有する態様について説明したが、複数の湾曲部分を備えるようにしてもよい。複数の湾曲部分の間の谷部分は、各々、センサ２Ａまたは第２シート２b2に接着剤で接合される。この場合には、湾曲部分ｗを１つだけ有する場合よりも、広い範囲において受けた圧力について、より効率的な伝達が可能となる。
【００３６】
図１０は、第１シート２b1に複数の湾曲部分を形成し、さらに、第３シートを配置した変形例を示す。図１０の（Ａ）は、本変形例のセンサ部２の斜視図であり、（Ｂ）は（Ａ）のＸ−Ｘ線における簡略断面図である。詳細には、図１０の（Ａ）および（Ｂ）に示されるように、本変形例では、第１シート２b1に複数の湾曲部分ｗ１〜ｗ４を形成し、さらに、隣り合う湾曲部分ｗ２およびｗ３の各頂部を通る第３シート２b3を配置する。各湾曲部分ｗ２およびｗ３と第３シート２b3との接点ｓ１およびｓ２、第１シート２b1と第２シート２b2との各接点ｓ３，ｓ４，ｓ５は接着剤により固定される。また、図８および図９に示した変形例と同様に、第１シート２b1とセンサ２Ａとが交差する部分および第２シート２b2とセンサ２Ａとが交差する部分は各々接着剤により固定される。この構成において、補助部材に対して圧力Ｐが与えられた場合には、当該補助部材が第３シート２b3を有することにより、第１シート２b1の湾曲部分ｗ２およびｗ３が押し込まれる力が大きくなり、第２シート２b2がセンサ２Ａを引っ張る張力は、図９に示す構成よりもさらに増加する。よって、この構成によれば、さらに効率的に、圧力（被験者の振動から生じる圧力）を伝達することが可能となる。
なお、図示の例では、第３シート２b3が隣り合う２つの湾曲部分の各頂部を通る構成について説明したが、第３シート２b3が３つ以上の湾曲部分の各頂部を通る構成としてもよい。
【００３７】
変形例４：
上記実施形態および変形例では、補助部材２ＢとしてＰＥＴシートを使用する場合について説明したが、例えば、金属や木材などの、ＰＥＴシートよりも硬い部材を用いてもよい。
図１１に、補助部材として木材板を用いた変形例について示す。図１１の（Ａ）は、本変形例のセンサ部２の平面図であり、（Ｂ）は（Ａ）のＸＩ−ＸＩ線における簡略断面図である。
図１１に示されるように、本変形例では、下面部に複数の尾根状の突起部ｃを有する板状の補助部材２Ｃが、その複数の突起部ｃがセンサ２Ａと接するように配置される。本変形例によれば、上記実施形態と同様の効果が得られる。さらに、広い面積を有する板を補助部材２Ｃとして用いるとともに、補助部材２Ｃの下面部に突起部ｃを配し、その突起部ｃがセンサ２Ａと重なるように配置する構成としたので、コストを過大に増加させることなく、感知範囲を拡大することができるとともに、補助部材２Ｃに対して与えられた振動が、突起部ｃを介してより効率的にセンサに伝達される。また、補助部材２Ｃが、ＰＥＴシートよりも硬い板で形成されているので、補助部材２Ｃで受けた振動がセンサ２Ａに対して伝達され易い。
なお、図示の例においては、突起部ｃは、センサと交差する方向に、補助部材の端から端まで形成された尾根状である場合について示したが、部分的に形成されていてもよい。また、センサと重なる部分のみが突き出た形状であってもよい。また、補助部材２Ｃとして、木材板ではなく金属板を用いてもよい。突起部は、補助部材と同じ部材で形成されてもよいし、異なる部材で形成されて補助部材に固着されてもよい。いずれの場合も、図１１に示した変形例と同様の効果が得られる。
【００３８】
加えて、図１２に、補助部材として波形板を用いた変形例について示す。図１２の（Ａ）は、本変形例のセンサ部２の平面図であり、（Ｂ）は（Ａ）のＸＩＩ−ＸＩＩ線における簡略断面図である。
図１２に示されるように、本変形例においては、山部ｔと谷部ｂを有する波形板が補助部材２Ｄとして使用され、谷部ｂがセンサ２Ａと接するように配置される。本変形例によれば、上記実施形態と同様の効果が得られる。さらに、波形板を補助部材２Ｄとして用いるので、コストを過大に増加させることなく、感知範囲を大面積とすることができるとともに、補助部材２Ｄに対して与えられた振動が、波形板の谷部ｂを介して効率的にセンサに伝達される。
【００３９】
その他の変形例：
上記実施形態では、短冊状のセンサ２Ａの長手を被験者の体の横幅方向に略並行に配置し、補助部材２Ｂを被験者の体の縦方向（長手方向）に配置する態様について説明したが、逆の配置としてもよい。すなわち、センサ２Ａを被験者の体の縦方向に配置し、補助部材２Ｂを被験者の体の横幅方向に配置してもよい。しかしながら、センサ部２が検出する生体情報のうち、例えば、体動は、被験者の体が左右に動くことが多い寝返りを含む。よって、センサ２Ａの長手を被験者の体の横幅方向に略並行に配置した場合には、センサ２Ａを被験者の体の縦方向に配置した場合よりも、寝返りのような体動を、より確実に検知することが可能となる。また、センサ２Ａを被験者の体の縦方向に１本のみ配置した場合には、寝返りにより、被験者の体がセンサ２Ａから外れてしまうことも起こり得る。これに対し、センサ２Ａを被験者の体の横幅方向に配置した場合には、被験者の体の一部とセンサ２Ａとが常に接触した状態を保つことが可能となる。
上記実施形態では、センサ２Ａと各補助部材２Ｂ，２Ｃ，２Ｄとが接して交差する（あるいは重なる）場合について説明したが、センサ２Ａと各補助部材２Ｂ，２Ｃ，２Ｄとは、被験者の振動が、各補助部材からセンサに伝わるように配置されていればよい。よって、両者が直接接触していなくとも、例えば、薄い部材が両者の間に介挿されていてもよい。
【図面の簡単な説明】
【００４０】
【図１】本実施形態に係る睡眠計１の外観を示す平面図である。
【図２】睡眠計１の電気的構成を示すブロック図である。
【図３】センサ２Ａの断面図である。
【図４】センサ２Ａの端部の拡大斜視図である。
【図５】（Ａ）〜（Ｃ）は、センサ２Ａの端部の加工工程を説明するための図である。
【図６】変形例に係るセンサ部２を示す平面図である。
【図７】変形例に係るセンサ部２を示す平面図である。
【図８】変形例に係るセンサ部２を示す斜視図である。
【図９】変形例に係るセンサ部２を示す斜視図である。
【図１０】（Ａ）および（Ｂ）は、変形例に係るセンサ部２を示す斜視図および断面図である。
【図１１】（Ａ）および（Ｂ）は、変形例に係るセンサ部２を示す平面図および断面図である。
【図１２】（Ａ）および（Ｂ）は、変形例に係るセンサ部２を示す平面図および断面図である。
【符号の説明】
【００４１】
１…睡眠計、２…センサ部、２Ａ…センサ、２Ｂ，２Ｃ，２Ｄ…補助部材、２b1…第１シート、２b2…第２シート、２b3…第３シート、３…制御ボックス、４…表示部、５…操作部、６…ＣＰＵ、７…検出部、８…判定部、９…記憶部、１０…電源、１１…電圧測定部、２１…センサ層、２２〜２４…導電性フィルム、２２Ａ…アース電極層（第２電極層）、２３Ａ…シグナル電極層（第１電極層）、２４Ａ…シールド電極層、２０１…第１層、２０２…第２層、２０３…第３層、３０１…第１リード部、３０２…第２リード部、４００…絶縁性部材、５０１…第１外部接続端子、５０２…第２外部接続端子、５０１ａ，５０２ａ…孔部、５０１ｂ，５０２ｂ…カシメ加工部、５０１ｃ，５０２ｃ…ハトメラグ、６００（６０１，６０２）…リード線、Ｂ…ベッド、ｂ…谷部、ｃ…突起部、Ｍ…マットレス、ｓ１〜ｓ５…接点、ｔ…山部、ｗ，ｗ１〜ｗ４…湾曲部分。
【図１】
2010051588.tif 000003
【図２】
2010051588.tif 000004
【図３】
2010051588.tif 000005
【図４】
2010051588.tif 000006
【図５】
2010051588.tif 000007
【図６】
2010051588.tif 000008
【図７】
2010051588.tif 000009
【図８】
2010051588.tif 000010
【図９】
2010051588.tif 000011
【図１０】
2010051588.tif 000012
【図１１】
2010051588.tif 000013
【図１２】
2010051588.tif 000014